(57)【特許請求の範囲】
【請求項１】
薬剤を収納する複数の収納室と、前記各収納室間を仕切る仕切り用封止部とを有する容器本体を備え、使用に際して前記仕切り用封止部が開封される医療用複室容器に取り付けられ、前記容器本体内の薬剤を排出可能な薬剤排出具であって、
管状に形成され、その一端部をいずれかの収納室に取付可能な本体部と、
前記本体部の他端部側を封止し使用に際して開封可能な封止部材と、
前記本体部の一端部側を封止し、前記収納室からの薬剤の流入を規制する規制部材と、を備え、
前記規制部材は、前記容器本体の外部から手で押し込めるように、前記本体部の一端部から突出しており、
前記手の力によって当該規制部材が前記本体部内に入り込んだときに薬剤流入の規制状態が解除され、収納室から前記本体部内への薬剤の流入を可能にする薬剤排出具。
【請求項２】
前記本体部は、収納室に取り付けられる小径部と、これに連結される大径部とを有し、
前記規制部材は、収納室側に突出するように前記小径部に圧入されることで前記規制状態を形成し、前記手の力によって前記大径部に移動することで前記規制状態が解除される、請求項１に記載の薬剤排出具。
【請求項３】
前記規制部材は、円筒状に形成され、軸方向の中間点について対象な形状である、請求項１または２に記載の薬剤排出具。
【請求項４】
前記規制部材は前記本体部とは異なる色に着色されている、請求項１から３のいずれかに記載の薬剤排出具。
【請求項５】
薬剤を収納する複数の収納室、及び前記各収納室を仕切る仕切り用封止部を有する容器本体と、
前記容器本体に取り付けられる請求項１から４のいずれかに記載の薬剤排出具と、を備え、
前記仕切り用封止部が、使用に際して前記各収納室を連通させるように開封可能に構成されている、医療用複室容器。
【請求項６】
薬剤を収納可能で、しかも周縁部の一部に薬剤注入口が形成された容器本体を準備する工程と、
前記薬剤注入口を介して前記容器本体内に第１の薬剤を注入する工程と、
前記第１の薬剤の液面より上方に、前記容器本体の内部空間を２つに仕切り、前記第１の薬剤が収納される第１収納室及び前記薬剤注入口と連通する第２収納室を形成する仕切り用封止部を設ける工程と、
前記薬剤注入口を介して前記第２収納室に第２の薬剤を注入する工程と、
前記薬剤注入口に、請求項１から４のいずれかに記載の薬剤排出具を挿入し、前記第２収納室に前記規制部材が突出した状態で、前記本体部を前記周縁部に固定する工程と
を備えている医療用複室容器の製造方法。
【請求項７】
小径部及び大径部を有する管状の本体部を準備する工程と、
薬剤を収納可能な容器本体を準備する工程と、
前記容器本体に前記小径部を向けた状態で、前記本体部を前記容器本体に取り付ける工程と、
前記本体部を介して前記容器本体内に第１の薬剤を注入する工程と、
前記第１の薬剤の液面より上方に、前記容器本体の内部空間を２つに仕切り、前記第１の薬剤が収納される第１収納室及び前記本体部と連通する第２収納室を形成する仕切り用封止部を設ける工程と、
前記本体部を介して前記第２収納室に第２の薬剤を注入する工程と、
前記小径部に、前記大径部と第２収納室との連通を規制する規制部材を圧入し、当該規制部材を前記小径部から第２収納室へと突出させる工程と、
前記本体部の他端部側を封止部材によって封止する工程と
を備え、
前記規制部材は、前記仕切り用封止部が開封された後に、前記容器本体の外部から手で押し込まれることで、前記小径部との係合状態が解除され、前記仕切り用封止部が開封された容器本体内から前記本体部内への薬剤の流入を可能にするように構成されている、医療用複室容器の製造方法。
【請求項８】
前記規制部材は、前記仕切り用封止部が開封された容器本体内の圧力が高まることで、前記本体部の他端側に移動して薬剤流入の規制状態を解除する、請求項６に記載の医療用複室容器の製造方法。 
【請求項９】
前記規制部材は、前記仕切り用封止部が開封された容器本体内の圧力が高まることで、前記大径部側に移動して薬剤流入の規制状態を解除する、請求項７に記載の医療用複室容器の製造方法。
【請求項１０】
前記規制状態を解除するために前記規制部材を移動させるために必要な力は、前記仕切り用封止部の開封強度よりも大きい、請求項８又は９に記載の医療用複室容器の製造方法。
【発明の詳細な説明】
【技術分野】
【０００１】
本発明は、同時に配合すると経時変化を起こすような不安定な各種薬剤（液剤、粉末若しくは固形剤）を個別に収納する複数の収納室を備えた医療用複室容器に関する。
【背景技術】
【０００２】
静脈注射により患者に投与される薬剤や、眼灌流液、腹膜透析液などの薬剤の中には、予め配合すると望ましくない経時的変化を起こすような不安定な薬剤がある。例えばアミノ酸輸液とブドウ糖輸液とを配合して保存しておくと、いわゆるメイラード反応によって混合液が褐変する。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤に対しては、次のような医療用複室容器が用いられることが多い。この医療用複室容器は、薬剤を収納する２つの収納室を備えたプラスチックフィルム製の容器本体と、この容器本体から薬剤を排出する薬剤排出部とを備えている。２つの収納室は、容器本体の内壁面同士を熱融着した仕切り用封止部によって仕切られている。使用に際しては、いずれかの収納室の中央付近を押圧し、収納室内の圧力を高めて仕切り用封止部を開封する。これによって両収納室が連通し、２つの薬剤が混合される。その後、薬剤排出部を刺入等によって開封し、混合後の薬剤を患者に投与する。
【０００４】
ところで、上記のような複室容器では、仕切り用封止部の開封前に、排出部を開封すると、混合前の薬剤が排出されるという問題があった。これを解決するため、例えば特許文献１では、薬剤排出部と、これに隣接する収納室との間に、排出規制用の封止部を設けた医療用容器が提案されている。この排出規制用封止部は、仕切り用封止部と同様に、容器本体の内壁面同士を熱融着することで形成したものであり、その開封強度は仕切り用封止部と同等か或いはそれ以上となっている。この排出規制用封止部を設けると、仕切り用封止部の開封前に、薬剤排出部を開封しても、排出規制用封止部によって収納室から薬剤が排出されるのを防止することができる。
【特許文献１】特開平９−３２７４９８号公報
【発明の開示】
【発明が解決しようとする課題】
【０００５】
しかしながら、上記特許文献１に記載の医療用複室容器では、次のような問題を有しているため、広く普及するには至っていない。すなわち、容器本体における排出部の近傍は、フィルムが盛り上がって扁平にはなっていない。そのため、排出規制用封止部を熱融着によって形成する場合、シワやピンホールが生じやすいという問題がある。これに起因して、排出規制用封止部の熱融着の強度にバラツキが多くなるため、両封止部の開封強度の調整は容易ではなかった。また、薬剤排出部と排出規制用封止部との間には空間が形成されるが、この空間は薬剤が収容されないため、加熱滅菌を行ってもこの空間内の無菌化を保証することはできないという問題もある。
【０００６】
本発明は、上記問題を解決するためになされたものであり、混合前の薬剤が排出されるのを容易に防止することができる薬剤排出具、これを備えた医療用複室容器、及びその製造方法を提供することを目的とする。
【課題を解決するための手段】
【０００７】
本発明は、薬剤を収納する複数の収納室と、前記各収納室間を仕切る仕切り用封止部とを有する容器本体を備え、使用に際して前記仕切り用封止部が開封される医療用複室容器に取り付けられ、前記容器本体内の薬剤を排出可能な薬剤排出具であって、管状に形成され、その一端部をいずれかの収納室に取付可能な本体部と、前記本体部の他端部側を封止し使用に際して開封可能な封止部材と、前記本体部の一端部側を封止し、前記収納室からの薬剤の流入を規制する規制部材とを備え、前記規制部材は前記本体部の一端部から突出しており、所定の力によって当該規制部材が前記本体部内に入り込んだときに前記規制状態が解除され、収納室から前記本体部内への薬剤の流入を可能にするように構成されている。
【０００８】
この構成によれば、規制部材により、収納室と薬剤排出具との連通が規制されているため、例えば仕切り用封止部を開封する前に、誤って封止部材に刺栓針を刺入した場合であっても、収納室内の混合前の薬剤が排出具から排出されるのが防止される。
【０００９】
また、規制部材は、本体部から収納室側へ突出しているため、手で規制部材を押し込むことができる。例えば、収納室を押圧したが、その圧力によっても規制部材を移動させることができなかった場合には、薬剤流入の規制状態を強制的に解除することができ、有効である。また、手で押し込むことができるため、規制解除のための力の微妙な調整が不要になり、製造工程を簡素化することができる。
【００１０】
なお、上述した本体は管状に形成されているが、その断面形状は特には限定されるものではなく、断面円形の他、例えば矩形状、多角形状などにすることができる。
【００１１】
上述した本体部は種々の形態にすることができるが、例えば、本体部が、収納室に取り付けられる小径部と、これに連結される大径部とを有し、規制部材が、前記収納室側に突出するように小径部に圧入されることで規制状態を形成し、所定の力によって前記大径部に移動することで前記規制状態が解除されるように構成することができる。
【００１２】
規制部材は、円筒状に形成され、軸方向の中間点について対象な形状であることが好ましい。なお、この規制部材は、上述した本体が断面円形以外に形成されているときは、本体の断面形状に合わせて、矩形状、多角形状などにすることができる。
【００１３】
また、規制部材を本体部と異なる色に着色することができる。こうすることで、規制部材を視認しやすくなる。
【００１４】
本発明に係る医療用複室容器は、薬剤を収納する複数の収納室、及び前記各収納室を仕切る仕切り用封止部を有する容器本体と、前記容器本体に取り付けられる上述した薬剤排出具とを備え、前記仕切り用封止部が、使用に際して前記各収納室を連通させるように開封可能に構成されており、前記所定の力は、前記仕切り用封止部の開封強度より大きくなるように構成されている。
【００１５】
この構成によれば、上述した薬剤排出具による効果が得られるほか、薬剤排出具が取り付けられた収納室を押圧したときに、仕切り用封止部を先に開封させることができる。そのため、仕切り用封止部が開封する前に規制状態が解除されるのを防止でき、混合前の薬剤が排出されるのを防ぐことができる。なお、「開封強度」とは、仕切り用封止部の一部でも開封し、隣接する収納室を連通させるのに必要な力をいう。
【００１６】
本発明に係る第１の医療用複室容器の製造方法は、薬剤を収納可能で、しかも周縁部の一部に薬剤注入口が形成された容器本体を準備する工程と、前記薬剤注入口を介して前記容器本体内に第１の薬剤を注入する工程と、前記第１の薬剤の液面より上方に、前記容器本体の内部空間を２つに仕切り、前記第１の薬剤が収納される第１収納室及び前記薬剤注入口と連通する第２収納室を形成する仕切り用封止部を設ける工程と、前記薬剤注入口を介して前記第２収納室に第２の薬剤を注入する工程と、前記薬剤注入口に、上述した薬剤排出具を挿入し、前記第２収納室に前記規制部材が突出した状態で、前記本体部を前記周縁部に固定する工程とを備えている。
【００１７】
また、本発明に係る第２の医療用複室容器の製造方法は、小径部及び大径部を有する管状の本体部を準備する工程と、薬剤を収納可能な容器本体を準備する工程と、前記容器本体に前記小径部を向けた状態で、前記本体部を前記容器本体に取り付ける工程と、前記本体部を介して前記容器本体内に第１の薬剤を注入する工程と、前記第１の薬剤の液面より上方に、前記容器本体の内部空間を２つに仕切り、前記第１の薬剤が収納される第１収納室及び前記本体部と連通する第２収納室を形成する仕切り用封止部を設ける工程と、前記本体部を介して前記第２収納室に第２の薬剤を注入する工程と、前記小径部に、前記大径部と第２収納室との連通を規制する規制部材を圧入し、当該規制部材を前記小径部から第２収納室へと突出させる工程と、前記本体部の他端部側を封止部材によって封止する工程とを備えている。
【００１８】
規制部材は、収納室内の圧力が高まることで、前記大径部側に移動して規制状態を解除するように構成されることが好ましい。
【００１９】
また、薬剤流入の規制状態を解除するために前記規制部材を移動させるために必要な力は、前記仕切り用封止部の開封強度よりも大きいことが好ましい。
【発明の効果】
【００２０】
本発明に係る薬剤排出具、医療用複室容器及びその製造方法によれば、混合前の薬剤が排出部から流出するのを確実に防止することができる。
【発明を実施するための最良の形態】
【００２１】
以下、本発明に係る医療用複室容器の一実施形態について図面を参照しつつ説明する。図１は第１実施形態に係る医療用複室容器の平面図であり、図２は図１の医療用複室容器における薬剤排出具を示す要部断面図である。
【００２２】
図１に示すように、この医療用複室容器１は、周縁部２が融着され矩形状に形成された容器本体３と、この容器本体３に取り付けられ薬剤を排出する薬剤排出具３２とを備えている。容器本体３は、長手方向に並べて配置された第１収納室１０及び第２収納室１１を有しており、２つの収納室１０，１１は仕切り用封止部２０で仕切られている。上記した薬剤排出具３２は、容器本体周縁部２に融着され、その一端部が第２収納室１１に入り込むように取り付けられる。また、容器本体周縁部２の第１収納室１０側には、吊掛孔３０が形成されている。そして、各収納室１０，１１には、予め混合或いは溶解しておくと望ましくない各種薬剤ａ，ｂがそれぞれ収納されており、例えば、アミノ酸輸液及びブドウ糖輸液が収納される。なお、一方の収納室に固形状、或いは粉末状の薬剤を収納することもできる。
【００２３】
この医療用複室容器１は、２枚の平層又は複層のフィルムの周縁部を熱融着又は接着することにより形成される袋状の容器とすることができる。フィルムの材質としては、ポリエチレン、ポリプロピレン、ポリスチレン等の熱可塑性樹脂等、種々の樹脂を採用することができる。
【００２４】
或いは、容器本体３を構成するフィルムの少なくとも最内層を、相溶性に乏しく融点の異なる２種以上の熱可塑性プラスチックから構成されるものとすれば、後述するように仕切り用封止部２０を容易に形成することができる。このようなプラスチックとしては、例えばスチレン系樹脂、メタクリル酸エステル系樹脂、ポリ４−メチルペンテン、ポリエステル、ポリアミド、ポリプロピレンから選ばれる樹脂と、ポリエチレンとを混合したものを挙げることができる。このうち、ポリエチレン及びポリプロピレンは、医療用として安全性が確認されていること、及び製造上の取り扱い方法が確立されていることから特に好ましい。両者の混合割合は特には限定されないが、一般に１：９〜９：１の範囲より選択される。
【００２５】
仕切り用封止部２０は、種々の態様により開封可能に構成することができるが、例えば、容器本体３の対向するフィルム面を熱融着によって接着することで構成することができる。そして、この仕切り用封止部２０は、収納室１０，１１内の圧力が高まって所定の圧力に達すると開封し、両収納室１０，１１が連通するように構成されている。
【００２６】
図２（ａ）に示すように、薬剤排出具３２は、円管状に形成された本体部３６を備え、この本体部３６の一端部側（図２の上側）に第２収納室１１からの薬剤の流入を規制する規制部材３７が取り付けられている。一方、本体部３６の他端部は、刺栓針によって開封可能なゴム栓（封止部材）３９によって封止されている。
【００２７】
本体部３６は、小径部４１と大径部４３とが連結することで構成されており、小径部４１が収納室１１側に配置されている。規制部材３７は円筒状に形成され、軸方向の中間部３７ａの径が両端部に比べて大きくなっている。つまり、軸方向の中間点に対して対象な形状となっている。また、この中間部３７ａの外径は小径部４１の内径よりも若干大きくなっており、初期状態では、図２（ａ）に示すように、規制部材３７は小径部４１に圧入され、中間部３７ａが小径部４１の内壁面と係合している。これにより、本体部３６の一端部は規制部材３７によって液密状態で封止され、第２収納室１１から本体部３６内への薬剤の流入が規制される。このとき、規制部材３７の一端部は、小径部４１から収納室１１へと突出している。
【００２８】
大径部４３は、規制部材３７よりも大きい内径を有し、その開口端部はゴム栓３９によって封止されている。そして、後述するように、規制部材３７が移動して小径部４１との係合が解除されると、図２（ｂ）に示すように、大径部４３内に収容される。規制部材３７は、突出部分が小径部４１内に入り込んだときに、小径部４１との係合状態が解除されるようにされている。ここで、規制部材３７及び大径部４３は、規制部材３７が大径部４３内に収容されているときに、小径部４１からゴム栓３９へ向かう薬剤の流れを妨げない程度の大きさにされている。
【００２９】
規制部材３７と小径部４１との係合状態を解除するために規制部材３７を移動させる力は、仕切り用封止部２０を開封するために必要な開封強度より大きいものとされる。なお、ここでいう開封強度とは、仕切り用封止部２０の一部でも開封し、仕切り用封止部２０によって仕切られている各収納室１０，１１を連通させるのに必要な力である。
【００３０】
次に、上記のように構成された医療用複室容器の使用方法について説明する。容器１内の薬剤を患者に投与するためには、まず、液状薬剤ｂを収納した第２収納室１１を手で押さえる等して押圧し、収納室１１内の圧力を高める。これにより、仕切り用封止部２０が開封して第１及び第２収納室１０，１１が連通し、各収納室１０，１１内の薬剤ａ，ｂが混合される。上述したように、仕切り用封止部２０の開封強度は、規制部材３７と小径部４１との係合状態を解除するための力よりも小さいため、仕切り用封止部２０が開封しても、規制部材３７と小径部４１との係合状態は解除されず、薬剤は本体部内に流入しない。
【００３１】
続いて、連通した第１及び第２収納室１０，１１全体を押圧して圧力を高め、規制部材３７を移動させる。すなわち、収納室１０，１１の圧力が高まると、混合した薬剤によって規制部材３７が押圧され、大径部４３側に移動する。こうして、規制部材３７が大径部４３内に入ると、小径部４１の封止状態が解除されるため、第２収納室１１と大径部４３が連通し、混合された薬剤が小径部４１の開口から本体部３６内に流入する。この後、導管を接続した刺栓針をゴム栓３９に刺入すれば、容器１内の混合薬剤は、薬剤排出具３２から導管を経て患者に投与される。
【００３２】
なお、収納室１０，１１を押圧したときに規制部材３７が移動しない場合には、手で規制部材３７を本体部３６内に押し込んで小径部４１との係合状態を解除する。図１に示すように、規制部材３７は本体部３６から第２収納室１１側へ突出しているため、容器本体３を構成するフィルムの上から規制部材３７を押し込むことができる。このとき、フィルムは軟らかいため、規制部材３７の押し込み操作の妨げになることはない。
【００３３】
以上のように本実施形態によれば、規制部材３７により、第２収納室１１と薬剤排出具３２との連通が規制されているため、例えば仕切り用封止部２０を開封する前に、誤ってゴム栓３９に刺栓針を刺入した場合であっても、第２収納室１１内の混合前の薬剤が排出具３２から排出されるのが防止される。この場合、刺栓針を刺入しても薬剤排出具３２からは薬剤が排出されないため、使用者は、このことにより規制部材３７を押し込んでおらず、また仕切り用封止部２０が開封していないことを認識することができる。したがって、薬剤排出具３２にこのような規制部材３７を設けることにより、適切な使用方法、つまり仕切り用封止部２０の開封、及び規制部材３７の押し込み後に、刺栓針を刺入するという正しい順序での使用を喚起することができる。
【００３４】
また、上記のような規制部材３７を薬剤排出具３２に設けておけば、従来例のような混合前の薬剤の排出を規制する機構を容器本体３側に設けなくてもよい。したがって、このような薬剤排出具３２を準備して容器本体３に取り付けるようにすれば、複室容器１の製造設備の簡素化、製造時間の短縮化を図ることができる。
【００３５】
さらに、規制部材３７は、本体部３６から第２収納室１１側へ突出しているため、収納室１０，１１を押圧したときに規制部材３７が移動しない場合には、手で規制部材３７を押し込むことができる。そのため、次のような利点がある。すなわち、規制部材３７と小径部４１とは、収納室１０，１１の圧力が高まり、仕切り用封止部２０の開封強度よりも大きい力が作用したときに係合状態が解除するように調整されることが好ましいが、仮に規制部材３７が移動しない場合には、手で押し込むことで、係合状態を解除することができる。そのため、製造時に規制部材３７を圧入する際には、必ずしも上記のように正確に調整する必要はなく、多少強く圧入しても手で押し込める程度であれば、使用時には差し支えない。したがって、複室容器の製造を容易にすることができる。
【００３６】
また、規制部材３７は軸方向の中間点に対して対象な形状をしているため、軸方向のいずれの端部から本体部３６に挿入しても同様の効果を得ることができる。規制部材３７は、本体部３６とは異なる色に着色することもできる。こうすることで、規制部材３７が視認しやすくなり、操作の効率が向上する。
【００３７】
次に、この複室容器の製造方法の一例について図３を参照しつつ説明する。まず、２枚のフィルムの周縁を強く熱融着して容器本体３を形成する（図３（ａ））。このとき、周縁部２の一端に薬剤を注入するための薬剤注入口２ａを形成しておく。次に、薬剤注入口２ａを通じて容器本体３内に一方の薬剤（第１の薬剤）を注入する（図３（ｂ））。この薬剤は薬剤注入口２ａとは反対側の第１収納室１０が形成される位置に溜まる。続いて、容器本体３の中間部、つまり先に注入された薬剤の液面より上方において、フィルム同士を熱融着して仕切り用封止部２０を形成する（図３（ｃ））。これにより、容器本体３に第１収納室１０と第２収納室１１とが形成され、先に注入された薬剤が第１収納室１０に密閉される。
【００３８】
そして、薬剤注入口２ａを通じてもう一つの薬剤（第２の薬剤）を第２収納室に注入する（図３（ｄ））。これに続いて、上述した薬剤排出具を薬剤注入口２ａに挿入した後、フィルムと薬剤排出具３２とを熱融着し周縁部２に薬剤排出具３２を固定する（図３（ｅ））。こうして、複室容器が完成する。
【００３９】
また、次のような方法で形成することもできる。図４に示すように、まず、２枚のフィルムの間に薬剤排出具３２の本体部３６を挟んだ状態で、フィルムの周縁を強く熱融着する。これにより、容器本体周縁部２が形成されるとともに、本体部３６が容器本体３に連結される（図４（ａ））。次に、本体部３６を通じて容器本体３内に一方の薬剤を注入する（図４（ｂ））。続いて、容器本体３の中間部、つまり先に注入された薬剤の液面より上方において、フィルム同士を熱融着して仕切り用封止部２０を形成する（図４（ｃ））。これにより、容器本体３に第１収納室１０と第２収納室１１とが形成され、先に注入された薬剤が第１収納室１０に密閉される。
【００４０】
そして、本体部３６を通じてもう一つの薬剤を第２収納室に注入する（図４（ｄ））。これに続いて、本体部３６の大径部４３から規制部材３７を挿入し、規制部材３７の端部が本体部３６から突出するまで小径部４３に圧入する（図４（ｅ））。最後に、大径部４３にゴム栓３９を取り付けると、複室容器が完成する。
【００４１】
上述したいずれの方法であっても、規制部材３７を圧入する際の力を必ずしも正確に調整する必要はなく、使用時に手で押し込めるのであれば、差し支えない。したがって、微妙な力の調整が不要であるため、複室容器の製造を容易にすることができる。
【００４２】
以上、本発明の一実施形態について説明したが、本発明は上記実施形態に限定されるものではなく、その趣旨を逸脱しない限りにおいて種々の変更が可能である。例えば、上記実施形態では、小径部４１と大径部４３とを連結することで本体部３６を構成し、連結部分に段部を有する構造にしているが、これに限定されるものではなく、薬剤の流入する規制状態から規制部材３７が押し込まれたときに、収納室１０，１１と本体部３６とが連通する構造になっていればよい。例えば、本体部３６を収納室側からゴム栓側にいくにしたがって漸進的に内径が増大するように構成にすることもできる。また、規制部材３７も必ずしも軸方向に対象な形状でなくてもよく、本体部３６の小径部４１に圧入できる形状であれば限定されない。例えば、角柱型に形成し、本体部３６もこれに対応するような形状にすることもできる。
【００４３】
上記実施形態では、規制部材３７が移動するための圧力が、仕切り用封止部２０を開封するための圧力よりも大きくなるようにしているが、仕切り用封止部を開封するための圧力と等しい圧力により、規制部材３７が移動するように構成することもできる。
【００４４】
また、上記各実施形態では、薬剤排出具３２の他端部の封止をゴム栓３９によって行っているが、使用に際して開封できるものであれば、特には限定されない。
【００４５】
また、上記各実施形態の医療用複室容器では、２種類の薬剤を混合可能に構成されているが、これに限定されるものではなく、３以上の収納室を備えるようにすることもできる。
【００４６】
上記実施形態の容器本体では、本発明の仕切り用封止部をフィルム面の融着による封止部として構成しているが、これに限定されるものではなく、所定の外力が作用したときに開封するように構成されていればよい。例えば、フィルム面に設けた凸条と凹状との凹凸嵌合により仕切り用封止部を構成することもできる。
【００４７】
また、上記実施形態では、薬剤排出具３２を容器本体周縁部２に熱融着によって取り付けているが、容器本体３を構成する材料によっては、高周波溶着、超音波シール等の方法を使用することもできる。なお、これ以外の方法であっても、容器本体３の収納室１１と薬剤排出具３２とが液密状態で接続されていれば、その接続方法は特には限定されない。
【図面の簡単な説明】
【００４８】
【図１】本発明に係る医療用複室容器の一実施形態の平面図である。
【図２】図１の医療用複室容器に係る薬剤排出具の要部断面図である。
【図３】図１の医療用複室容器の製造方法の一例を示す図である。
【図４】図１の医療用複室容器の製造方法の他の例を示す図である。
【符号の説明】
【００４９】
１    医療用複室容器
３    容器本体
１０，１１  収納室
２０    仕切り用封止部
３２    薬剤排出具
３６    本体部
３７    規制部材
３９    ゴム栓（封止部材）
４１    小径部
４３    大径部
【図１】
0004740676.tif 000002
【図２】
0004740676.tif 000003
【図３】
0004740676.tif 000004
【図４】
0004740676.tif 000005